(57)【要約】【課題】個人情報が露出したＩＤカードであっても、不用意に第三者へ個人情報等が漏洩する恐れを防ぐカードホルダを得る。【解決手段】表面が透過性の高い透明な樹脂で作成された本体１と、本体１の表面側に貼り合わせられ、電源のＯＮ、ＯＦＦにより透明、不透明を切り替えることができる機能性液晶フィルム２と、本体１に設けられ、機能性液晶フィルム２の透明、不透明の切り替え機能と、無線通信プロトコルで通信を行う機能とを有する制御基板３と、を備え、制御基板３は無線通信プロトコルで外部機器２０より指示信号を受信することにより、機能性液晶フィルム２の透明、不透明の切り替えを行う。【選択図】図１
2020077281.tif 000002
【特許請求の範囲】
【請求項１】
表面に個人情報が付記されたＩＤカードを収納し、前記個人情報を隠蔽可能としたインテリジェントカードホルダにおいて、
少なくとも前記表面が透明な樹脂で形成された本体と、
該本体の前記表面の側に配置され、透明、不透明を切り替えることができる機能性液晶フィルムと、
前記本体に設けられ、前記機能性液晶フィルムの透明、不透明の切り替え機能と、無線通信プロトコルで通信を行う機能とを有する制御基板と、
を有し、
前記制御基板は前記無線通信プロトコルで外部機器より指示信号を受信することにより、前記機能性液晶フィルムの透明、不透明の切り替えを行う機能を備えたことを特徴とするインテリジェントカードホルダ。
【請求項２】
前記外部機器は携帯端末であり、前記制御基板は前記携帯端末と通信する機能を有し、前記携帯端末より指示信号を受信することにより、前記機能性液晶フィルムの透明、不透明の切り替えを行う機能を備えたことを特徴とする請求項１に記載のインテリジェントカードホルダ。
【請求項３】
前記携帯端末は位置を知るための位置算出手段を有し、該位置算出手段による位置情報に基づいた前記携帯端末から送信された指示信号を受信することにより、前記機能性液晶フィルムの透明、不透明の切り替えを行う機能を備えたことを特徴とする請求項２に記載のインテリジェントカードホルダ。
【請求項４】
前記本体はブザーを有し、前記本体が前記携帯端末から所定距離だけ離れた場合、前記ブザーが鳴動する機能を備えたことを特徴とする請求項３に記載のインテリジェントカードホルダ。
【請求項５】
前記本体が前記携帯端末から所定距離だけ離れた場合、前記ブザーが鳴動すると共に、前記機能性液晶フィルムを不透明する機能を備えたことを特徴とする請求項４に記載のインテリジェントカードホルダ。
【請求項６】
前記本体が前記携帯端末から所定距離だけ離れた場合、離れた場所あるいは位置を前記携帯端末によって記憶されることを特徴とする請求項４又は５に記載のインテリジェントカードホルダ。
【請求項７】
前記携帯端末に設定された時間に基づいて前記携帯端末から送信された指示信号を受信することにより、前記機能性液晶フィルムの透明、不透明の切り替えを行う機能を備えることを特徴とする請求項２〜６のいずれか１項に記載のインテリジェントカードホルダ。
【請求項８】
前記携帯端末に所定のＰＩＮコードを入力しない限り前記機能性液晶フィルムの透明、不透明の切り替えを行わないことを特徴とする請求項１〜７のいずれか１項に記載のインテリジェントカードホルダ。
【請求項９】
前記携帯端末が所定のエリアに入っているか否かを前記位置算出手段により判断し、その結果に基づいて送信された指示信号を受信することにより前記機能性液晶フィルムの透明、不透明の切り替えを行う機能を備えることを特徴とする請求項３に記載のインテリジェントカードホルダ。
【請求項１０】
請求項１〜９のいずれか１項に記載のインテリジェントカードホルダを外部端末から制御するための前記外部端末に搭載されるインテリジェントカードホルダ制御プログラムであって、
前記外部端末に搭載されたコンピュータを、
所定の位置情報を記憶する手段、
前記外部端末に搭載された位置算出手段から現在の位置情報を取得する手段、
前記現在の位置情報と前記所定の位置情報とを比較し、前記現在の位置情報に示された位置が前記所定の位置情報に示された位置よりも所定の距離以上離れているか否か演算して判断する演算手段、
前記演算手段による判断に基づいて、前記外部端末に搭載された通信装置を制御して、前記インテリジェントカードホルダの前記制御基板に、前記機能性液晶フィルムの透明、不透明の切り替えを指示する信号を送信する手段、
として機能させるインテリジェントカードホルダ制御プログラム。
【請求項１１】
請求項４に記載のインテリジェントカードホルダを外部端末から制御するための前記外部端末に搭載されるインテリジェントカードホルダ制御プログラムであって、
前記外部端末に搭載されたコンピュータを、
前記外部端末を使用する者からの入力を受け付ける入力手段、
前記入力手段からの入力の内容に基づいて、前記外部端末に搭載された通信装置を制御して、前記インテリジェントカードホルダの前記制御基板に、前記機能性液晶フィルムの透明、不透明を切り替えることと、前記ブザーを鳴動させることとのいずれかまたは両方を行うことを指示する信号を送信する手段、
として機能させるインテリジェントカードホルダ制御プログラム。
【請求項１２】
請求項３に記載のインテリジェントカードホルダを外部端末から制御するための前記外部端末に搭載されるインテリジェントカードホルダ制御プログラムであって、
前記外部端末に搭載されたコンピュータを、
前記外部端末に搭載された通信装置と前記制御基板との通信が途切れたとき、そのときの位置情報を前記外部端末に搭載された位置算出手段から取得し記憶する手段、
前記外部端末を使用する者からの入力を受け付ける入力手段、
前記入力手段に入力された内容に基づいて前記位置情報を前記外部端末に搭載された表示装置に表示する手段、
として機能させるインテリジェントカードホルダ制御プログラム。
【請求項１３】
表面に個人情報が付記されたＩＤカードを収納し、前記個人情報を隠蔽可能としたインテリジェントカードホルダにおいて、
少なくとも前記表面が透明な樹脂で形成された本体と、
該本体の前記表面の側に配置され、透明、不透明を切り替えることができる機能性液晶フィルムと、
前記機能性液晶フィルムの透明、不透明を切り替えるためのスイッチと、
を備えたことを特徴とするインテリジェントカードホルダ。
【発明の詳細な説明】
【技術分野】
【０００１】
本発明は、身分証明書や社員証などのＩＤカード等を収納するためのカードホルダに係り、特に、情報の漏洩対策を強化したインテリジェントカードホルダ及びそれを制御するプログラムに関する。
【背景技術】
【０００２】
近年、例えば、職員証、社員証、会員証、学生証等の各種証明用カードとして表面に認識可能な名前・顔写真等の身分を証明する情報を印刷し、かつ電子処理が施されたＩＤカードが普及している。ＩＤカードは、半導体チップを搭載し、情報の保存や書き換えが可能なＩＣカードも用いられ、ＲＦＩＤタグのように通信機能を有するものも知られている。また、ＩＤカードの表面には、写真や名前等の個人情報が付記されている。そして、ＩＤカードの携帯者はこれを首から紐でぶら下げて携帯する。また、携帯者が本人であるかを確認するときには、ＩＤカード表面をリーダ等によりスキャンすることで携帯者自身の確認と同時に個人情報を取得する。
【０００３】
しかしながら、従来におけるＩＤカードでは、この表面に写真や名前の個人情報が常時露出しており、ＩＤカードの携帯者は写真や名前を常時人目に晒している状態である。施設内への入退出管理として利用される場合、携帯者が施設外へ出るとき、そのまま個人情報を露出して第三者へ個人情報等が漏洩する恐れが高い。
【０００４】
特に、水道・電気・ガスなど社会基盤を担う施設においては、不法侵入を未然に防ぐことがセキュリティ上で重要であり、個人情報等が漏洩したことによる不正通行を阻止することが極めて要求される。その他、産学官を問わず、オフィス、研究所、データセンター、工場、倉庫等からの情報漏洩を防いで情報セキュリティをより強化することが必要とされている。
【０００５】
カードに係る情報を第三者に知られないように、カードの収納状態に応じてカードに係る情報を隠蔽するため、カード収納体に設けた表示手段によって、収納されているカードに表記された情報を隠蔽するものが知られ、特許文献１に記載されている。
【０００６】
また、必要なときにのみＩＤカードに画像等の情報を表示できるようにするため、カード本体に表示手段を設け、本体のカードホルダへの装着時に表示手段の表示をオンとし、非装着時に表示手段への表示をオフとすることが、特許文献２に記載されている。
【先行技術文献】
【特許文献】
【０００７】
【特許文献１】特開２００７−７２８５８号公報
【特許文献２】特開２００８−２１７２８７号公報
【発明の概要】
【発明が解決しようとする課題】
【０００８】
特許文献１に記載のものは、カードの収納の有無を検出し、カード収納体に設けた表示手段によって、例えば、クレジットカードの情報表示および隠蔽を可能にするものであるので、携帯者がカードを収納したまま、施設外へ出た場合などでは、そのまま個人情報等を露出して第三者へ個人情報等が漏洩する恐れがある。セキュリティの高い施設等で利用するには十分ではない。
【０００９】
特許文献２に記載のものは、カード収納体は、通常のカードを入れ替わり収納することができず、特殊なカードにしか対応できない。したがって、多くのカードに対応して幅広く普及することは困難であった。
【００１０】
本発明の目的は、上記従来技術の課題を解決し、表面に写真や名前の個人情報が常時露出したＩＤカードであっても、カードホルダに収納することで、手動（任意）または自動にて内蔵したＩＤカードの情報を、表示または非表示することにより個人情報等が漏洩する恐れを防ぐことができ、セキュリティの高い施設等での利用が可能である多機能なカードホルダを提供することにある。
【課題を解決するための手段】
【００１１】
上記目的を達成させるため本発明は、表面に個人情報が付記されたＩＤカードを収納し、前記個人情報を隠蔽可能としたインテリジェントカードホルダにおいて、少なくとも前記表面が透明な樹脂で形成された本体と、該本体の前記表面の側に配置され、透明、不透明を切り替えることができる機能性液晶フィルムと、前記機能性液晶フィルムの透明、不透明を切り替えるためのスイッチと、を備えたものである。
【００１２】
また、本発明は、表面に個人情報が付記されたＩＤカードを収納し、前記個人情報を隠蔽可能としたインテリジェントカードホルダにおいて、少なくとも前記表面が透明な樹脂で形成された本体と、該本体の前記表面の側に配置され、透明、不透明を切り替えることができる機能性液晶フィルムと、前記本体に設けられ、前記機能性液晶フィルムの透明、不透明の切り替え機能と、無線通信プロトコルで通信を行う機能とを有する制御基板と、を有し、前記制御基板は前記無線通信プロトコルで外部機器より指示信号を受信することにより、前記機能性液晶フィルムの透明、不透明の切り替えを行う機能を備えることが望ましい。
【００１３】
また、前記外部機器は携帯端末であり、前記制御基板は前記携帯端末と通信する機能を有し、前記携帯端末より指示信号を受信することにより、前記機能性液晶フィルムの透明、不透明の切り替えを行う機能を備えたことが望ましい。
【００１４】
さらに、前記携帯端末は位置を知るための位置算出手段を有し、該位置算出手段による位置情報に基づいた前記携帯端末から送信された指示信号を受信することにより、前記機能性液晶フィルムの透明、不透明の切り替えを行う機能を備えたことが望ましい。
【００１５】
さらに、前記本体はブザーを有し、前記本体が前記携帯端末から所定距離だけ離れた場合、前記ブザーが鳴動する機能を備えたことが望ましい。
【００１６】
さらに、前記本体が前記携帯端末から所定距離だけ離れた場合、前記ブザーが鳴動すると共に、前記機能性液晶フィルムを不透明する機能を備えたことが望ましい。
【００１７】
さらに、前記本体が前記携帯端末から所定距離だけ離れた場合、離れた場所あるいは位置を前記スマートフォンによって記憶されることが望ましい。
【００１８】
更にまた、前記携帯端末に設定された時間に基づいて前記携帯端末から送信された指示信号を受信することにより、前記機能性液晶フィルムの透明、不透明の切り替えを行う機能を備得ることが望ましい。
【００１９】
また、前記携帯端末に所定のＰＩＮコードを入力しない限り前記機能性液晶フィルムの透明、不透明の切り替えを行わないことが好ましい。
【００２０】
更に、前記携帯端末が所定のエリアに入っているか否かを前記位置算出手段により判断し、その結果に基づいて送信された指示信号を受信することにより前記機能性液晶フィルムの透明、不透明の切り替えを行う機能を備えることが望ましい。
【００２１】
本発明は、インテリジェントカードホルダを外部端末から制御するための前記外部端末に搭載されるインテリジェントカードホルダ制御プログラムであって、前記外部端末に搭載されたコンピュータを、所定の位置情報を記憶する手段、前記外部端末に搭載された位置算出手段から現在の位置情報を取得する手段、前記現在の位置情報と前記所定の位置情報とを比較し、前記現在の位置情報に示された位置が前記所定の位置情報に示された位置よりも所定の距離以上離れているか否か演算して判断する演算手段、前記演算手段による判断に基づいて、前記外部端末に搭載された通信装置を制御して、前記インテリジェントカードホルダの前記制御基板に、前記機能性液晶フィルムの透明・不透明の切替を指示する信号を送信する手段、として機能させることを特徴とするインテリジェントカードホルダを制御するプログラムである。
【００２２】
さらに、本発明のプログラムは、前記外部端末に搭載されたコンピュータを、前記外部端末を使用する者からの入力を受け付ける入力手段、前記入力手段からの入力の内容に基づいて、前記外部端末に搭載された通信装置を制御して、前記インテリジェントカードホルダの前記制御基板に、前記機能性液晶フィルムの透明不透明を切り替えることと、前記ブザーを鳴動させることとのいずれかまたは両方を行うことを指示する信号を送信する手段、として機能させることが望ましい。
【００２３】
さらに、本発明のプログラムは、前記外部端末に搭載されたコンピュータを、前記外部端末に搭載された通信装置と前記制御基板との通信が途切れたとき、そのときの位置情報を前記外部端末に搭載された位置算出手段から取得し記憶する手段、前記外部端末を使用する者からの入力を受け付ける入力手段、前記入力手段に入力された内容に基づいて前記位置情報を前記外部端末に搭載された表示装置に表示する手段、として機能させることが望ましい。
【００２４】
また、本発明のプログラムは、前記外部端末に搭載されたコンピュータを、時間設定を行う手段と、設定された時間に前記機能性液晶フィルムの透明、不透明の切り替えを行う手段と、して機能させることが望ましい。
【発明の効果】
【００２５】
本発明によれば、ＩＤカードを収納するカードホルダに機能性液晶フィルムの透明、白濁の切り替え機能を有している。また、無線通信プロトコルで通信を行う機能を有する制御基板を備えても良く、この場合は、外部機器より通信による指示信号で機能性液晶フィルムの透明、白濁の切り替えを行うことができる。いずれの場合も、必要なときにＩＤカードに表示された個人情報を白濁等による不透明化によって隠蔽でき、不用意に第三者へ個人情報等が漏洩する恐れを防ぐことができる。
【図面の簡単な説明】
【００２６】
【図１】本発明の一実施形態に係るインテリジェントカードホルダを示す正面図及びブロック図
【図２】一実施形態に係るインテリジェントカードホルダの構成を示す断面図
【図３】機能性液晶フィルムの原理を説明する図（電源ＯＦＦで白濁しているとき）
【図４】機能性液晶フィルムの原理を説明する図（電源ＯＮで透明となっているとき）
【図５】インテリジェントカードホルダ本体と、スマートフォン（多機能携帯電話）とが通信を行っている状態を示す図
【図６】個人認証とスマートフォン及びインテリジェントカードホルダ本体との関係を示す図
【発明を実施するための形態】
【００２７】
以下、本発明の実施形態について図面を参照して詳細に説明する。図１（１）は、本発明の一実施形態によるインテリジェントカードホルダを示す正面図、図１（２）は、本発明の一実施形態に係るインテリジェントカードホルダの主要部のブロック図、図２は、断面図である。ＩＤカード１０、１１は、例として身分証明書や社員証であり、不法侵入等を未然に防ぐ必要がある居室、あるいは施設などに所持者が入室するための認証を行う。ＩＤカード１０、１１は、図２に示すように、本体１の背面側の挿入口から挿入されている。
【００２８】
本発明に係るインテリジェントカードホルダは、単体でもある程度の機能を発揮することができるが、スマートフォン２０とともに用いることにより、高度な機能を発揮することができる。即ち、本発明に係るインテリジェントカードホルダは、スマートフォン２０と無線で通信する機能を有し、スマートフォン２０にインストールされたアプリにより制御されることができる。
【００２９】
ＩＤカード１０、１１は、例として汎用的なプラスチックカードによる身分証明書や社員証であり、不法侵入等を未然に防ぐ必要がある居室、あるいは施設などに所持者が入室するための認証を行うために必要とされる。ＩＤカード１０、１１は、半導体チップを搭載し、情報の保存や書き換えが可能なＩＣカードが用いられ、ＲＦＩＤタグで認証が行われる。また、ＩＤカードの１０、１１表面には、写真や名前等が付記されている。そして、ＩＤカードの携帯者は、本体１に設けられた把手７の穴８を介して紐で首からぶら下げて携帯する。
【００３０】
本体１は、少なくとも表面が透過性の高い透明な樹脂、例えば、ＰＣ（ポリカーボネート・ポリカ）、ＰＥＴ（ポリエチレンテレフタレート・ペット）、ＰＶＣ（ポリ塩化ビニル・塩ビ）、ＰＭＭＡ（ポリメチルメタクリレート・アクリル）等で作成される。ＩＤカード１０、１１は、表面が本体１の表面を向く様に設置される。本体１の表面側の後ろ、ＩＤカード１０、１１と本体１の表面との間、本体１の表面側には機能性液晶フィルム２が貼り合わせられている。機能性液晶フィルム２は、電源のＯＮ、ＯＦＦにより透明、不透明（例えば、白濁）を瞬時に切り替えることができるフィルムである。
【００３１】
本体１の上部には、制御基板３が設けられ、この制御基板３には、機能性液晶フィルム２の透明、白濁の切り替え機能と、Ｂｌｕｅｔｏｏｔｈ（登録商標）、Ｗｉ-Ｆｉ（登録商標）あるいはＬＴＥ（Ｌｏｎｇ  Ｔｅｒｍ  Ｅｖｏｌｕｔｉｏｎ）のような無線通信プロトコルでスマートフォン（多機能携帯電話）と通信を行う機能を有する送受信部１００と、スマートフォン（多機能携帯電話）との接続手続きを簡略化するハンドオーバー機能に対応したＮＦＣインターフェイス１０２と、全体を制御する制御部１０４とを有している。
【００３２】
したがって、ＮＦＣ対応機器間で通信する際に、ペアリングや認証などの接続手続きだけをＮＦＣで行い、実際の通信はより高度なＢｌｕｅｔｏｏｔｈ（登録商標）やＷｉ-Ｆｉ（登録商標）に引き継ぐことができる。通常、ペアリングや認証には認証情報の入力などの手順が必要であるが、ＮＦＣを利用すれば、本体１にスマートフォン（多機能携帯電話）をかざすだけで接続を完了できる。ここで、ＮＦＣの機能を有することは必ずしも必須ではなく、Ｂｌｕｅｔｏｏｔｈ（登録商標）やＷｉ-Ｆｉ（登録商標）のみで構成されても良い。その場合は、ＮＦＣインターフェイス１０２は不要となる。
【００３３】
４は、３ポジションのスイッチであり、ＯＦＦ、ＯＮ（１）、ＯＮ（２）の機能を有する。ＯＦＦは機能性液晶フィルム２への電源供給をＯＦＦし、ＯＮ（１）は機能性液晶フィルム２への電源供給をＯＮする。ＯＮ（２）は、機能性液晶フィルム２への電源供給をＯＮすると共に、機能性液晶フィルム２、ＩＤカード１０、１１の上部に設けられたライト５、６をＯＮして照明する。
【００３４】
このように本体１は、外部との通信に関係なく、本体１にあるスイッチ操作のみで機能性液晶フィルム２の電源供給ＯＮ、ＯＦＦ、即ち、機能性液晶フィルム２の透明化、不透明化を切り替えることができる。
【００３５】
９は、バッテリであり、制御基板３、ライト５、６へ電源を供給する。なお、バッテリ９は、外部電源から充電が可能であり、ＵＳＢ  Ｔｙｐｅ-Ｃ又はＵＳＢ  Ｍｉｃｒｏ-Ｂのメス端子を有している。スイッチ４がＯＮ（２）の状態で１８時間以上又は２４時間以上連続稼働することができる容量とされている。
【００３６】
図３、４は機能性液晶フィルム２の原理を説明する図であり、図３は電源ＯＦＦで白濁しているとき、図４は電源ＯＮで透明となっているときの状態である。２枚のプラスチックフィルム２−１、２−２間に高分子２−６がネットワーク状に構成され、その中に液晶分子２−５が不規則に並び、両端に透明電極２−３、２−４が設けられている。
【００３７】
そして、電源ＯＦＦ、透明電極２−３、２−４に電圧を掛けていない状態では、不規則に並んでいる液晶分子２−５が光を散乱し、不透明で白濁の状態となる。電源ＯＮ、透明電極２−３、２−４に電圧を掛けると、不規則に並んでいた液晶分子２−５が透明電極２−３、２−４に対して垂直に並び光を透過して透明な状態となる。
【００３８】
したがって、ＩＤカード１０、１１は、機能性液晶フィルム２に電圧を掛けていない状態で不透過となり、ＩＤカード１０、１１に表示されている情報が本体１の外部から視認できなくなる。そして、携帯者が施設外へ出るとき、機能性液晶フィルム２に電圧を掛けないようにすれば、表面に写真や名前の個人情報が表示されたＩＤカード１０、１１であっても、個人情報の不用意な露出を避けることができる。
【００３９】
また、施設内に入るときなどに、機能性液晶フィルム２に電圧を掛けることより、通常通りにＩＤカード１０、１１に表示されるので、携帯者の確認が可能となる。インテリジェントカードホルダ本体１はＩＤカード１０、１１を２枚収納できるようにしているが、１枚のＩＤカード１０であっても良く、以下１枚のＩＤカード１０として説明する。
【００４０】
図５は、インテリジェントカードホルダ本体１と、スマートフォン（多機能携帯電話）２０とが通信を行っている状態を示す図である。通信接続が確立されている状態で、スマートフォン２０の機能を利用して、制御基板３へ指示信号を送信することにより、機能性液晶フィルム２の透明、白濁の切り替えが可能となる。つまり、制御基板３は、必要に応じてスマートフォン２０から通信機能で外部機器より指示信号を受信することにより、機能性液晶フィルム２を白濁する。そして、白濁によりＩＤカード１０の表面に設けられた写真や名前の個人情報に対してシャッターを閉じることになるので、他者から容易に目視ができないようにすることができる。ここで白濁と表現しているのは不透明化を意味し、白濁とは異なる方法で不透明化しても良いことは言うまでも無いことである。
【００４１】
また、インテリジェントカードホルダ本体１がスマートフォン２０から所定距離だけ離れた場合、インテリジェントカードホルダ本体１に備えられたブザー（図示せず）が鳴動し、機能性液晶フィルム２を白濁、つまりＩＤカード１０の表面に設けられた写真や名前の個人情報に対してシャッターを閉じて目視できないようにしたことになる。
【００４２】
このとき、インテリジェントカードホルダ本体１の代わりに、スマートフォン２０からブザー等の警告音を鳴らせても良い。あるいはインテリジェントカードホルダ本体１と同時にスマートフォン２０からブザー等の警告音を鳴らせても良い。
【００４３】
ここで、所定距離だけ離れたことを検出する方法としては、既存の様々な方法を採用することができる。例えば、インテリジェントカードホルダ本体１とスマートフォン２０は、それぞれ、互いに相手からの通信の電波を受信できなくなった場合、あるいは受信信号の強度が所定の値以下になった場合に所定の距離だけ離れたとすることができる。
【００４４】
さらに、インテリジェントカードホルダ本体１とスマートフォン２０とが所定の距離以上離れた場所あるいは位置（紛失場所とも称する）、そしてその時の時間は、スマートフォン２０に備えられた時計機能と、ＧＰＳ機能による位置情報（ＧＰＳ情報）に基づいて判別されてスマートフォンに記憶される。これにより、インテリジェントカードホルダ本体１を落としたり、紛失したりした場合でも、インテリジェントカードホルダ本体１がスマートフォン２０から所定の距離離れた位置がスマートフォン２０に記憶されているので、インテリジェントカードホルダ本体１を探すことが容易になる。
【００４５】
ここで位置情報は、ＧＰＳ機能に限らず位置を知るための他の機能から求めても良い。これは、以下にＧＰＳ情報を用いて説明しているすべてにおいて成り立つことである。例えば、スマートフォン２０が、Ｗｉ−Ｆｉ（登録商標）等の無線通信に接続されている場合は、接続されている無線通信のルータ、アクセスポイントの情報から位置を求めることができ、その情報から求めた位置を紛失場所とすることもできる。この方法は、建物内で、無線通信のアクセスポイントのエリアが細かく決まっている場合には、精度良く位置を求めることができ、ＧＰＳ信号を得ることができない建物内でも有効に位置情報を知ることができる。ここで、本発明においては、ＧＰＳ機能及び上述したような位置を求める機能を含むその他すべての位置を知るための手段を位置算出手段とも称する。
【００４６】
さらに、インテリジェントカードホルダ本体１がスマートフォン２０から所定距離だけ離れた場合だけでなく、位置情報（ＧＰＳ情報等）に基づいた場所によって機能性液晶フィルム２を白濁、つまりシャッターを閉じてＩＤカード１０の表面に設けられた写真や名前の個人情報を隠蔽することが可能となる。
【００４７】
例えば、所定の位置として自分の会社を登録することにより、会社の敷地から出ることによりスマートフォン２０が所定の位置から離れた旨の信号をインテリジェントカードホルダ本体１に送信し、インテリジェントカードホルダ本体１の制御部１０４は、機能性液晶フィルム２を白濁させる。また逆に、会社の敷地に入ることによって、スマートフォン２０が所定のエリアに入った旨の信号をインテリジェントカードホルダ本体１に送信し、インテリジェントカードホルダ本体１の制御部１０４は、機能性液晶フィルム２を透明化させる。これにより、会社の外において身分証等の内容である氏名、写真等の個人情報を他者が見ることを防止することができると共に、会社内においてはＩＤカードを社内の者に見せることができる。
【００４８】
なお、スマートフォン２０として説明しているが、インテリジェントカードホルダ本体１と通信が可能な機器であれば、タブレットでも、あるいは専用の外部機器でも何でも良く、これら外部機器（スマートフォン、タブレット等インテリジェントカードホルダ本体１と無線通信可能な機器すべてを含む）からの指示で機能性液晶フィルム２の透明、白濁の切り替え、つまりＩＤカード１０に対するシャッター制御が可能となる。
【００４９】
またインテリジェントカードホルダ本体１の機能性液晶フィルム２の制御が可能なスマートフォン２０やその他の外部機器は、そのインテリジェントカードホルダ本体１に認証されているものに限定することができる。
【００５０】
これにより、他人がたまたま取得したインテリジェントカードホルダ本体１を持って会社等に侵入したとしても、インテリジェントカードホルダ本体１に認証されたスマートフォン２０をこの他人が持っていない場合は、インテリジェントカードホルダ本体１は、近くに認証されたスマートフォン２０が存在しないとして、機能性液晶フィルム２の白濁した状態を維持する。
【００５１】
よって、会社内で白濁した状態のインテリジェントカードホルダ本体１を首からぶら下げている者がいた場合、容易に許諾無く会社に侵入した者であると識別することができる。また、会社等への侵入者が、偽のインテリジェントカードホルダ本体１を持って侵入した場合、警備の者及び管理者が外部機器でインテリジェントカードホルダ本体１の機能性液晶フィルム２を操作することによって、侵入者か否か識別することができる。
【００５２】
即ち、偽のインテリジェントカードホルダ本体１の場合は、警備の者や管理者が持つ外部機器には反応しないので、警備の者が外部機器で操作しても偽のインテリジェントカードホルダ本体１の機能性液晶フィルム２は変化がない。これにより、警備の者は侵入者か否かを容易に識別することができる。外部機器での操作により、機能性液晶フィルム２だけではなく、後述するようにブザーの鳴動、照明のオン・オフ等も可能とすることができ、警備の者や管理者はこれらの操作が可能か否かで侵入者を見分けることもできる。
【００５３】
図５は、スマートフォン２０にインストールされたアプリを起動した画面を示している。この状態で、ＩＤをＩＤ入力部２１、パスワードをパスワード入力部２２に入力し、エンターキー２３を押すことで、インテリジェントカードホルダ本体１と、スマートフォン２０との通信が確立される。その他、アプリの画面には、ＰＩＮ（個人識別番号）を入力するＰＩＮキー２４、インテリジェントカードホルダ本体１に備えられたブザーを鳴動するブザーキー２５、ライト５、６をＯＮして照明を行う照明キー２６、機能性液晶フィルム２の白濁、透明、つまりシャッターの開閉時間を定める時間設定キー２７等が設けられている。
【００５４】
ＩＤカードの携帯者はＰＩＮキー２４によって、インテリジェントカードホルダ本体１にＰＩＮを設定することで、ＰＩＮを知らない他者がスイッチ４をＯＮ（１）としても、機能性液晶フィルム２を透明、つまりシャッターを開にすることを防ぐことができる。また、ＰＩＮをスマートフォン２０に入力しないと、スマートフォン２０からも機能性液晶フィルム２の透明、不透明の切替をできないようにすることもできる。更に、インテリジェントカードホルダ本体１を置き忘れした場合などでは、ブザーキー２５で鳴動させて探し出すことができる。
【００５５】
さらに、夜間では照明キー２６によりライト５、６を点灯してＩＤカードの確認を見易くすることができる。時間設定キー２７では、業務時間内（定時）はシャッターを開にし、定時が過ぎたらシャッターを閉にする設定を行い、不用意なＩＤカードの表示を無くして、第三者へ個人情報等が漏洩することを防ぐことができる。
【００５６】
インテリジェントカードホルダ本体１の位置は、スマートフォン２０によるＧＰＳ情報等によって判別される。また、機能性液晶フィルム２をシャッターとして制御するためのプログラムがスマートフォン２０にインストールされたアプリに組み込まれている。したがって、シャッターを開閉する場所（位置）をアプリに予め登録することで、ＧＰＳ情報を利用して場所に応じてシャッターの開閉制御が可能となる。例えば、シャッターを開閉する場所として、施設、会社等の出口として自動登録し、携帯者が出口から退出した場合、ＧＰＳ情報で判別してシャッターを閉めることができる。
【００５７】
また、アプリに携帯者のＩＤが入力されているので、特定の他者ＩＤを登録し、常時はシャッターを閉としておいて、特定の他者にだけＩＤカード１０を表示することができる。つまり、スマートフォン２０で登録した携帯者が互いに近づいたことを検出すると、シャッターを開くようにする。これにより、個人情報等の漏洩に対してよりセキュリティを高めることができる。
【００５８】
さらに、スマートフォン２０は、ＩＤカードの携帯者のみならず、例えば警備員も携帯する。そして、警備員は複数のインテリジェントカードホルダ本体１に対して管理者として登録しておく。これにより、警備員は専用の外部機器を用いるか、あるいは、自分が携帯するスマートフォン２０にインストールされたアプリを起動しておけば、任意のインテリジェントカードホルダ本体１の機能性液晶フィルム２のシャッターを開くこと、及びライト５、６をＯＮすることが可能となる。
【００５９】
図６は、個人認証とスマートフォン２０及びインテリジェントカードホルダ本体１との関係を示す図である。施設等の入口、あるいは各階の居室入口等において、ＲＦＩＤタグを有するスマートフォン２０と通信して個人認証を行うＮＦＣ装置５００が設置されている。ＮＦＣ装置５００は、通信距離が０〜２０ｃｍ程度の無線インターフェイスであり、壁面８００に取り付けても良いし、フラップ８０２を備えたフラッパーゲート８０１などに取り付けても良い。なお、フラッパーゲート８０１に取り付ける場合は、個人認証の結果に応じてフラップ８０２の戸開閉を制御する。
【００６０】
ＮＦＣ装置５００は、通信端末５０５を有しており、ＮＦＣ装置５００が認証結果表示部を備える場合は、認証結果を表示するための画面５０４を有している。利用者は携帯するスマートフォン２０を通信端末５０５にかざすことにより、個人認証を行う。認証ＯＫの場合、認証ＯＫである旨が画面５０４に表示される。フラッパーゲート８０１においては、認証ＯＫと連動してフラップ８０２を開く。
【００６１】
スマートフォン２０でＩＤが認識されているので、アプリにＩＤを入力することなく、スマートフォン２０からＮＦＣ装置５００へ応答を返し、つまりＲＦＩＤによる受動通信モードが確立してから、能動通信モードであるＢｌｕｅｔｏｏｔｈ（登録商標）、Ｗｉ-Ｆｉ（登録商標）あるいはＬＴＥ（Ｌｏｎｇ  Ｔｅｒｍ  Ｅｖｏｌｕｔｉｏｎ）の無線通信プロトコルにより、スマートフォン２０とインテリジェントカードホルダ本体１との通信確立を自動で行う。そして、施設、あるいは各階の居室等への入室と共に、機能性液晶フィルム２のシャッターを開くように制御する。
【００６２】
なお、上記説明では、スマートフォン２０を通信端末５０５にかざすことにより、個人認証を行うことで説明したが、先にアプリを起動しておいて、スマートフォン２０とインテリジェントカードホルダ本体１との通信確立を行っても良い。この場合は、インテリジェントカードホルダ本体１を通信端末５０５にかざして、個人認証を行えば良い。
【００６３】
次に、本発明のインテリジェントカードホルダをスマートフォン２０等の外部端末から制御するためのプログラムについて説明する。このプログラムは、アプリとしてスマートフォン２０にインストールして使用することができる。
【００６４】
このプログラムは、スマートフォン２０等の外部端末に搭載されたコンピュータをインテリジェントカードホルダを制御するための手段として機能させるものである。以下において、外部端末の一例としてスマートフォン２０を例にとって説明する。
【００６５】
このプログラムにより、スマートフォン２０のコンピュータは以下のように動作する。
即ち、コンピュータは、所定の位置情報をスマートフォン２０内のメモリに記憶する（ステップ１）。所定の位置情報は、例えば、スマートフォン２０に搭載されたＧＰＳ装置から得られた現在の位置情報を所定の位置情報として記憶することができる。
【００６６】
また、コンピュータは、スマートフォン２０の入力装置（表示画面に表示された入力用キーボードや、スマートフォン２０に搭載されている通信装置等）から手入力で、または電子メールとしてあるいは他の方法で入力された緯度経度情報を所定の位置情報として記憶することができる。
【００６７】
また、コンピュータは、スマートフォン２０に搭載されたＧＰＳ装置から現在の位置情報を取得する（ステップ２）。次に、コンピュータは、現在の位置情報と所定の位置情報とを比較し、現在の位置情報に示された位置が所定の位置情報に示された位置よりも所定の距離以上離れているか否か演算して判断する（ステップ３）。
【００６８】
ここで、所定の距離以上離れているか否かは、２つの緯度経度情報から２点間の距離を演算し、その結果と所定距離の数値を比較することで判断することができる。ここで、所定の位置情報が１次元であるポイントではなく、あるエリアを示す２次元情報で有っても良い。その場合は、複数のポイントの緯度経度情報と、それぞれのポイントをつなげる順番に関する情報とでそのエリアを示す情報を表すことができる。
【００６９】
この場合は、会社や工場の敷地を複数のポイントでつなぐことにより、そのエリアを表すことができ、コンピュータは、現在の位置が、そのエリアの外か内かを判断してそれに基づいて種々の動作を行うようにしても良い。よって、ステップ３は、「コンピュータは、現在の位置情報と所定のエリアの範囲を示す複数の位置情報とを比較し、現在の位置が所定のエリアの範囲内か範囲外かを演算して判断する」であっても良い。
【００７０】
また、コンピュータは、ステップ３での判断に基づいて、スマートフォン２０に搭載された通信装置を制御して、インテリジェントカードホルダの制御基板３に、機能性液晶フィルム２の透明・不透明の切替を指示する信号を送信する（ステップ４）。
【００７１】
また、このプログラムは、次の動作をさせて良い。即ち、コンピュータは、スマートフォン２０を使用する者からの入力を受け付ける（ステップ１０）。スマートフォン２０は、標準で入力手段を有しており、それは例えば、スマートフォン２０の画面上に表示されるキーボードやフリック入力のための画面等である。
【００７２】
これらを用いても良いが、コンピュータが、入力を受け付けるための専用の画面をスマートフォン２０のスクリーンに表示させ、その画面を使用者がタップすることによって入力する方法が好ましい。例えば、機能性液晶フィルムの透明・不透明切替スイッチやブザー鳴動ボタンを表示させ、それをタップすることにより入力させる方法が簡単でありより好ましい。
【００７３】
次にコンピュータは、入力手段からの入力の内容に基づいて、スマートフォン２０に搭載された通信装置を制御して、インテリジェントカードホルダの制御基板３に、機能性液晶フィルム２の透明・不透明を切り替えることと、インテリジェントカードホルダに搭載されたブザーを鳴動させることとのいずれかまたは両方を行うことを指示する信号を送信（ステップ２０）する。
【００７４】
これは、例えば、画面上に表示された透明・不透明切替スイッチがタップされたときは、コンピュータは、インテリジェントカードホルダの制御基板３に、機能性液晶フィルム２の透明・不透明を切り替えることを指示する信号を送信することができる。また、コンピュータは、画面上に表示されたブザー鳴動ボタンがタップされたときは、制御基板３にインテリジェントカードホルダに搭載されたブザーを鳴動させることを行うことを指示する信号を送信することができる。
【００７５】
また、このプログラムは、次の動作をコンピュータに行わせても良い。
即ち、コンピュータは、スマートフォン２０に搭載された通信装置と制御基板３との通信が途切れたとき、そのときの位置情報を前記外部端末に搭載されたＧＰＳ装置から取得し、紛失位置情報としてスマートフォン２０のメモリに記録する（ステップ１００）。
【００７６】
次に、コンピュータは、前記外部端末を使用する者からの入力を受け付ける（ステップ１０２）。これは、コンピュータが、入力を受け付けるための専用の画面をスマートフォン２０のスクリーンに表示させ、その画面を使用者がタップすることによって入力する方法が好ましい。例えば、インテリジェントカードホルダ紛失位置表示と表示されたボタンをスクリーンに表示させ、それをタップすることにより入力させる方法が簡単でありより好ましい。
【００７７】
ステップ１０２での入力内容に基づいて、例えば、スクリーンに表示されたインテリジェントカードホルダ紛失位置表示のボタンがタップされたとき、紛失位置情報をスマートフォン２０のスクリーンに表示する（ステップ１０４）。表示は、緯度経度情報として表示しても良いが、これでは分かりにくいので、地図を表示し、その地図上の紛失位置情報の示すポイントに所定のマークを表示することによって表すことが好ましい。
【００７８】
これまでの説明においてスマートフォン２０を例にとって説明したが、スマートフォンに限定されるものではなく、インテリジェントカードホルダ本体１と通信が可能な外部機器（外部端末とも称している）ならば何でもスマートフォン２０の代わりに使用することができ、スマートフォン２０と同様の効果を奏することができる。ここで、外部機器の中には、タブレット、ノートパソコン、インテリジェントカードホルダ本体１との通信専用に製造された特別な外部機器等の携帯が可能な携帯端末だけでなく、携帯が困難な据え置き型ＰＣも含まれている。
【符号の説明】
【００７９】
１…本体
２…機能性液晶フィルム
２−１、２−２…プラスチックフィルム、２−３、２−４…透明電極
２−５…液晶分子、２−６…高分子
３…制御基板
４…スイッチ
５、６…ライト
７…把手
８…穴
９…バッテリ
１０、１１…ＩＤカード
２０…スマートフォン（多機能携帯電話）
２１…ＩＤ入力部、２２…パスワード入力部、２３…エンターキー、２４…ＰＩＮキー
２５…ブザーキー、２６…照明キー、２７…時間設定キー
１００…送受信部
１０２…ＮＦＣ
１０４…制御部
５００…ＮＦＣ装置
５０４…画面、５０５…通信端末
８００…壁面
８０１…フラッパーゲート、８０２…フラップ
【図１】
2020077281.tif 000003
【図２】
2020077281.tif 000004
【図３】
2020077281.tif 000005
【図４】
2020077281.tif 000006
【図５】
2020077281.tif 000007
【図６】
2020077281.tif 000008
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
表面に個人情報が付記されたＩＤカードを収納し、前記個人情報を隠蔽可能としたインテリジェントカードホルダにおいて、
少なくとも前記表面が透明な樹脂で形成された本体と、
該本体の前記表面の側に配置され、透明、不透明を切り替えることができる機能性液晶フィルムと、
前記本体に設けられ、前記機能性液晶フィルムの透明、不透明の切り替え機能と、
無線通信プロトコルで通信を行う機能とを有する制御基板と、
前記本体が前記制御基板と通信を行う外部機器から所定距離離れたかどうかを判断する手段と、
を有し、
前記制御基板は前記無線通信プロトコルで前記外部機器より指示信号を受信することにより、前記機能性液晶フィルムの透明、不透明の切り替えを行う機能を備えたことを特徴とするインテリジェントカードホルダ。
【請求項２】
前記外部機器は携帯端末であり、前記制御基板は前記携帯端末と通信する機能を有し、前記携帯端末より指示信号を受信することにより、前記機能性液晶フィルムの透明、不透明の切り替えを行う機能を備えたことを特徴とする請求項１に記載のインテリジェントカードホルダ。
【請求項３】
前記携帯端末は位置を知るための位置算出手段を有し、該位置算出手段による位置情報に基づいた前記携帯端末から送信された指示信号を受信することにより、前記機能性液晶フィルムの透明、不透明の切り替えを行う機能を備えたことを特徴とする請求項２に記載のインテリジェントカードホルダ。
【請求項４】
前記本体はブザーを有し、前記本体が前記携帯端末から所定距離だけ離れた場合、前記ブザーが鳴動する機能を備えたことを特徴とする請求項３に記載のインテリジェントカードホルダ。
【請求項５】
前記本体が前記携帯端末から所定距離だけ離れた場合、前記ブザーが鳴動すると共に、前記機能性液晶フィルムを不透明する機能を備えたことを特徴とする請求項４に記載のインテリジェントカードホルダ。
【請求項６】
前記本体が前記携帯端末から所定距離だけ離れた場合、離れた場所あるいは位置を前記携帯端末によって記憶されることを特徴とする請求項４又は５に記載のインテリジェントカードホルダ。
【請求項７】
前記携帯端末に設定された時間に基づいて前記携帯端末から送信された指示信号を受信することにより、前記機能性液晶フィルムの透明、不透明の切り替えを行う機能を備えることを特徴とする請求項２〜６のいずれか１項に記載のインテリジェントカードホルダ。
【請求項８】
前記携帯端末に所定のＰＩＮコードを入力しない限り前記機能性液晶フィルムの透明、不透明の切り替えを行わないことを特徴とする請求項２に記載のインテリジェントカードホルダ。
【請求項９】
前記携帯端末が所定のエリアに入っているか否かを前記位置算出手段により判断し、その結果に基づいて送信された指示信号を受信することにより前記機能性液晶フィルムの透明、不透明の切り替えを行う機能を備えることを特徴とする請求項３に記載のインテリジェントカードホルダ。
【請求項１０】
請求項４に記載のインテリジェントカードホルダを前記外部機器から制御するための前記外部機器に搭載されるインテリジェントカードホルダ制御プログラムであって、
前記外部機器に搭載されたコンピュータを、
前記外部機器を使用する者からの入力を受け付ける入力手段、
前記入力手段からの入力の内容が前記機能性液晶フィルムの透明、不透明を切り替えることを指示するものである場合は、前記インテリジェントカードホルダの前記制御基板に、前記機能性液晶フィルムの透明、不透明を切り替えることを指示する信号を送信し、前記入力手段からの入力の内容が前記ブザーを鳴動させることを指示するものである場合は、前記インテリジェントカードホルダの前記制御基板に、前記ブザーを鳴動させることを指示する信号を送信する手段、
として機能させるインテリジェントカードホルダ制御プログラム。
【請求項１１】
請求項３に記載のインテリジェントカードホルダを前記携帯端末から制御するための前記携帯端末に搭載されるインテリジェントカードホルダ制御プログラムであって、
前記携帯端末に搭載されたコンピュータを、
前記携帯端末に搭載された通信装置と前記制御基板との通信が途切れたとき、そのときの位置情報を前記携帯端末に搭載された位置算出手段から取得し記憶する手段、
前記携帯端末を使用する者からの入力を受け付ける入力手段、
前記入力手段に入力された内容に基づいて前記位置情報を前記携帯端末に搭載された表示装置に表示する手段、
として機能させるインテリジェントカードホルダ制御プログラム。